【手続補正書】
【提出日】平成16年7月29日(2004.7.29)
【手続補正１】
【補正対象書類名】明細書
【補正対象項目名】特許請求の範囲
【補正方法】変更
【補正の内容】
【特許請求の範囲】
【請求項１】
第一成分として一般式（１）で示されるＮ，４−ジヒドロキシ−α−オキソベンゼンエタンイミドイルクロリド、第二成分として第四級アンモニウム塩から選ばれる１種または２種以上（ただし、第二成分がＮ−アルキル−Ｎ，Ｎ−ジメチル−Ｎ−ベンジルアンモニウムクロリド及び／又はＮ，Ｎ−ジアルキル−Ｎ−メチル−Ｎ−ベンジルアンモニウムクロリドのみである場合を除く）を含有することを特徴とする殺微生物組成物。
【化１】
1999302106.tif 000001
【請求項２】
第二成分の第四級アンモニウム塩が次の（ａ）〜（ｉ）から選ばれる１種又は２種以上を含有することを特徴とする請求項１記載の殺微生物組成物。
（ａ）Ｎ，Ｎ−ジメチル−Ｎ，Ｎ−ジｎ−デシルアンモニウムクロリド
（ｂ）Ｎ，Ｎ−ジメチル−Ｎ，Ｎ−ジｎ−オクチルアンモニウムクロリド
（ｃ）Ｎ，Ｎ−ジメチル−Ｎ−オクチル−Ｎ−デシルアンモニウムクロリド
（ｄ）Ｎ，Ｎ−ジメチル−Ｎ−イソノニル−Ｎ−デシルアンモニウムクロリド
（ｅ）Ｎ，Ｎ−ジデシル−Ｎ−メチル−Ｎ−ヒドロキシエチルアンモニウム
プロピオネート
（ｆ）Ｎ−ヘキサデシル−Ｎ，Ｎ，Ｎ−トリメチルアンモニウムクロリド
（ｇ）Ｎ−ヘキサデシル−Ｎ，Ｎ，Ｎ−トリメチルアンモニウムブロミド
（ｈ）Ｎ，Ｎ−ジメチル−Ｎ−オクタデシル−Ｎ−（３−（トリメトキシシリル）プロピル）アンモニウムクロリド
（ｉ）Ｎ，Ｎ−ジメチル−Ｎ−ベンジル−Ｎ−（４−（１，１，３，３−テトラメチルブチル）フェノキシエトキシエチル）アンモニウムクロリド
【請求項３】
第一成分のＮ，４−ジヒドロキシ−α−オキソベンゼンエタンイミドイルクロリド１０重量部に対し、第二成分の第四級アンモニウム塩を０．２〜１０００重量部含有させてなることを特徴とする請求項１又は請求項２記載の殺微生物組成物。
【請求項４】
微生物制御の対象となる水系に、請求項１〜請求項３のいずれか１項記載の第一成分と第二成分とを同時に及び／又は別々に添加して殺菌、スライムの形成を抑制する方法。
【請求項５】
第一成分として一般式（１）で示されるＮ，４−ジヒドロキシ−α−オキソベンゼンエタンイミドイルクロリド、第二成分として第四級アンモニウム塩が次の（ｊ）〜（ｋ）から選ばれる１種又は２種以上を含有することを特徴とする殺微生物組成物。
【化２】
1999302106.tif 000002
（ｊ）Ｎ−アルキル−Ｎ，Ｎ−ジメチル−Ｎ−ベンジルアンモニウムクロリド
〈アルキル基の炭素原子数は１２〜１８〉
（ｋ）Ｎ，Ｎ−ジアルキル−Ｎ−メチル−Ｎ−ベンジルアンモニウムクロリド
〈アルキル基の炭素原子数は１２〜１８〉
【請求項６】
第一成分のＮ，４−ジヒドロキシ−α−オキソベンゼンエタンイミドイルクロリド１０重量部に対し、第二成分の第四級アンモニウム塩を０．２〜５００重量部含有させてなることを特徴とする請求項５記載の殺微生物組成物。
【請求項７】
微生物制御の対象となる水系に、請求項５又は請求項６記載の第一成分と第二成分とを同時に及び／又は別々に添加して殺菌、スライムの形成を抑制する方法。
【手続補正２】
【補正対象書類名】明細書
【補正対象項目名】００１４
【補正方法】変更
【補正の内容】
【００１４】
第二成分の第四級アンモニウム塩として、例えばＮ，Ｎ−ジメチル−Ｎ，Ｎ−ジｎ−デシルアンモニウムクロリド、Ｎ，Ｎ−ジメチル−Ｎ，Ｎ−ジｎ−オクチルアンモニウムクロリド、Ｎ，Ｎ−ジメチル−Ｎ−オクチル−Ｎ−デシルアンモニウムクロリド、Ｎ，Ｎ−ジメチル−Ｎ−イソノニル−Ｎ−デシルアンモニウムクロリド、Ｎ，Ｎ−ジデシル−Ｎ−メチル−Ｎ−ヒドロキシエチルアンモニウムプロピオネート、Ｎ−ヘキサデシル−Ｎ，Ｎ，Ｎ−トリメチルアンモニウムクロリド、Ｎ−ヘキサデシル−Ｎ，Ｎ，Ｎ−トリメチルアンモニウムブロミド、Ｎ，Ｎ−ジメチル−Ｎ−オクタデシル−Ｎ−（３−（トリメトキシシリル）プロピル）アンモニウムクロリド、Ｎ，Ｎ−ジメチル−Ｎ−ベンジル−Ｎ−（４−（１，１，３，３−テトラメチルブチル）フェノキシエトキシエチル）アンモニウムクロリド、主に炭素原子数１２、１４、１６、１８のアルキル基を有するＮ−アルキル−Ｎ，Ｎ−ジメチル−Ｎ−ベンジルアンモニウムクロリド、及び主に炭素原子数１２、１４、１６、１８のアルキル基を有するＮ，Ｎ−ジアルキル−Ｎ−メチル−Ｎ−ベンジルアンモニウムクロリドなどが挙げられる。
【手続補正３】
【補正対象書類名】明細書
【補正対象項目名】００２６
【補正方法】変更
【補正の内容】
【００２６】
製剤例                      組  成                        配合率
実施例１    ＤＯＢＥＣ                                    ７．０％
バーダック  ２２８０＊１                        ２．５％
ジプロピレングリコールモノメチルエーテル    ４３．０％
ジエチレングリコール                        ４７．５％
実施例２    ＤＯＢＥＣ                                    ３．５％
バーダック  ２２８０＊１                        ７．５％
ジプロピレングリコールモノメチルエーテル    ２０．０％
エチレングリコール                          ６９．０％
実施例３    ＤＯＢＥＣ                                    ３．５％
バーダック  ２０５０＊２                      １５．０％
ジプロピレングリコールモノメチルエーテル    ２０．０％
ポリエチレングリコール２００                ６１．５％
実施例４    ＤＯＢＥＣ                                    ３．５％
バーダック  ２１７０＊３                        ８．５％
ジプロピレングリコールモノメチルエーテル    ２０．０％
エチレングリコール                          ６８．０％
実施例５    ＤＯＢＥＣ                                  １２．０％
ＤＯＤＩＧＥＮ  ３５１９＊４                    ２．０％
ジプロピレングリコールモノメチルエーテル    ６８．０％
炭酸プロピレン                              １８．０％
実施例６    ＤＯＢＥＣ                                    ５．０％
レボン  ＴＭ−６０＊５                          ５．０％
ジプロピレングリコールモノメチルエーテル    ３３．５％
エチレングリコール                          ５６．５％
実施例７    ＤＯＢＥＣ                                    ５．０％
臭化ヘキサデシルトリメチルアンモニウム＊６      １．６％
ジプロピレングリコールモノメチルエーテル    ３３．５％
エチレングリコール                          ５９．９％
【手続補正４】
【補正対象書類名】明細書
【補正対象項目名】００２７
【補正方法】変更
【補正の内容】
【００２７】
製剤例                      組  成                        配合率
実施例８    ＤＯＢＥＣ                                    ５．０％
Ｐｏｌｏｎ  ＭＦ−５０＊７                      ５．０％
ジプロピレングリコールモノメチルエーテル    ９０．０％
実施例９    ＤＯＢＥＣ                                    ７．５％
ハイアミン  １６２２＊８                        ５．０％
ジプロピレングリコールモノメチルエーテル    ４２．５％
ポリエチレングリコール２００                ４５．０％
実施例１０  ＤＯＢＥＣ                                    ７．５％
カチオン  Ｇ−５０＊９                        １０．０％
ジプロピレングリコールモノメチルエーテル    ４２．５％
ポリエチレングリコール２００                ４０．０％
実施例１１  ＤＯＢＥＣ                                  １４．０％
カチオン  Ｇ−５０＊９                          ２．０％
ジプロピレングリコールモノメチルエーテル    ７９．５％
エチレングリコールモノメチルエーテル          ４．５％
実施例１２  ＤＯＢＥＣ                                  １０．０％
バークォート１５２２＊１０                        ２．５％
ジプロピレングリコールモノメチルエーテル    ５６．５％
ジエチレングリコール                        ３１．０％
【手続補正５】
【補正対象書類名】明細書
【補正対象項目名】００２８
【補正方法】変更
【補正の内容】
【００２８】
製剤例                      組  成                        配合率
比較例１    ＤＯＢＥＣ                                  １５．０％
ジプロピレングリコールモノメチルエーテル    ８５．０％
比較例２    ＤＯＢＥＣ                                  ３０．０％
ジプロピレングリコールモノメチルエーテル    ７０．０％
比較例３    バーダック  ２２８０＊１                      １５．０％
エチレングリコール                          ４０．０％
上水                                        ４５．０％
比較例４    バーダック  ２０５０＊２                      ２０．０％
ポリエチレングリコール２００                ３０．０％
上水                                        ５０．０％
比較例５    バーダック  ２１７０＊３                      １５．０％
エチレングリコール                          ４０．０％
上水                                        ４５．０％
比較例６    ＤＯＤＩＧＥＮ  ３５１９＊４                    ５．０％
エチレングリコール                          ６０．０％
炭酸プロピレン                              ２０．０％
上水                                        １５．０％
比較例７    レボン  ＴＭ−６０＊５                        １０．０％
エチレングリコール                          １０．０％
上水                                        ８０．０％
比較例８    臭化ヘキサデシルトリメチルアンモニウム＊６      ３．０％
エチレングリコール                          ２５．０％
上水                                        ７２．０％
比較例９    Ｐｏｌｏｎ  ＭＦ−５０＊７                    １５．０％
ジプロピレングリコールモノメチルエーテル    ３５．０％
上水                                        ５０．０％
比較例１０  ハイアミン  １６２２＊８                      １０．０％
ポリエチレングリコール２００                ３０．０％
上水                                        ６０．０％
【手続補正６】
【補正対象書類名】明細書
【補正対象項目名】００２９
【補正方法】変更
【補正の内容】
【００２９】
製剤例                      組  成                        配合率
比較例１１  カチオン  Ｇ−５０＊９                          ５．０％
ジプロピレングリコールモノメチルエーテル    ５０．０％
ポリエチレングリコール２００                ３０．０％
上水                                        １５．０％
比較例１２  バークォート１５２２＊１０                        ５．０％
ジプロピレングリコールモノメチルエーテル    ５０．０％
上水                                        ４５．０％
比較例１３  ＤＯＢＥＣ                                    ７．５％
ＴＯＬＣＩＤＥ  ＰＳ７５＊１１                    ５．０％
ジプロピレングリコールモノメチルエーテル    ４２．５％
ジエチレングリコール                        ４５．０％
比較例１４  ＤＯＢＥＣ                                    ７．５％
ＴＯＬＣＩＤＥ  ＰＳ７５＊１１                  １０．０％
ジプロピレングリコールモノメチルエーテル    ４２．５％
ジエチレングリコール                        ４０．０％
比較例１５  ＤＯＢＥＣ                                    ３．５％
ＴＯＬＣＩＤＥ  ＰＳ７５＊１１                  ２０．０％
ジプロピレングリコールモノメチルエーテル    ２０．０％
ジエチレングリコール                        ５６．５％
【手続補正７】
【補正対象書類名】明細書
【補正対象項目名】００５８
【補正方法】変更
【補正の内容】
【００５８】
※１  ロンザ社製
有効成分：Ｎ，Ｎ−ジメチル−Ｎ，Ｎ−ジｎ−デシルアンモニウムクロリド
含  量  ：８０％
商品名  ：バーダック  ２２８０
※２  ロンザ社製
有効成分：Ｎ，Ｎ−ジメチル−Ｎ，Ｎ−ジｎ−オクチルアンモニウムクロリド、
Ｎ，Ｎ−ジメチル−Ｎ−オクチル−Ｎ−デシルアンモニウムクロリド、
Ｎ，Ｎ−ジメチル−Ｎ，Ｎ−ジｎ−デシルアンモニウムクロリド混合物
含  量  ：５０％
商品名  ：バーダック  ２０５０
※３  ロンザ社製
有効成分：Ｎ，Ｎ−ジメチル−Ｎ−イソノニル−Ｎ−デシルアンモニウムクロリド
含  量  ：７０％
商品名  ：バーダック  ２１７０
※４  ヘキスト社製
有効成分：Ｎ，Ｎ−ジデシル−Ｎ−メチル−Ｎ−ヒドロキシエチルアンモニウムプ
ロピオネート
含  量  ：７０％
商品名  ：ＤＯＤＩＧＥＮ  ３５１９
【手続補正８】
【補正対象書類名】明細書
【補正対象項目名】００５９
【補正方法】変更
【補正の内容】
【００５９】
※５  三洋化成工業株式会社製
有効成分：Ｎ−ヘキサデシル−Ｎ，Ｎ，Ｎ−トリメチルアンモニウムクロリド
含  量  ：３０％
商品名  ：レボン  ＴＭ−６０
※６  関東化学株式会社製
有効成分：Ｎ−ヘキサデシル−Ｎ，Ｎ，Ｎ−トリメチルアンモニウムブロミド
含  量  ：＞９６％
商品名  ：臭化ｎ−ヘキサデシルトリメチルアンモニウム（試薬）
※７  信越化学工業株式会社製
有効成分：Ｎ，Ｎ−ジメチル−オクタデシル−Ｎ−（３−（トリメトキシシリル）
プロピル）アンモニウムクロリド
含  量  ：４０％
商品名  ：Ｐｏｌｏｎ  ＭＦ−５０
※８  ロンザ社製
有効成分：Ｎ，Ｎ−ジメチル−Ｎ−ベンジル−Ｎ−（４−（１，１，３，３−テト
ラメチルブチル）フェノキシエトキシエチル）アンモニウムクロリド
含  量  ：＞９８％
商品名  ：ハイアミン  １６２２